(57)【要約】本発明は、移動無線通信システムの性能を向上させる方法に関する。本発明によれば、移動端末に伝送する第１のネットワーク要素として知られているネットワーク要素（ノードＢ）は、少なくとも１つのデータを第２のネットワーク要素（ＲＮＣ１）として知られている少なくとも１つの他のネットワーク要素から受信し、前記データは、前記無線リンク用の送信電力に変更をもたらす可能性がある前記第１のネットワーク要素（ノードＢ）と前記移動端末（ＵＥ）の間の無線リンク再構成の場合に移動端末（ＵＥ）に伝送するための初期送信電力を示す。
2006521047.tif 000002
【特許請求の範囲】
【請求項１】
移動無線通信システムの性能を向上させる方法であって、移動端末に伝送する第１のネットワーク要素として知られているネットワーク要素が、少なくとも１つの情報要素を第２のネットワーク要素として知られている少なくとも１つの他のネットワーク要素から受信し、前記情報要素が、無線リンクのための送信電力に変更をもたらす可能性がある前記第１のネットワーク要素と前記移動端末の間の無線リンク再構成の場合に移動端末に伝送するための初期送信電力を示す方法。
【請求項２】
前記第１のネットワーク要素が、ＵＭＴＳタイプのシステムの基地局またはノードＢに対応する請求項１に記載の方法。
【請求項３】
前記第２のネットワーク要素が、ＵＭＴＳタイプのシステムの基地局制御装置または無線ネットワーク制御装置（ＲＮＣ）に対応する請求項１または２に記載の方法。
【請求項４】
前記第２のネットワーク要素が、無線リンク再構成制御機能を含む、前記移動端末との通信を制御する機能を有するネットワーク要素、特にＵＭＴＳタイプのシステムで、ＳＲＮＣ（サービング無線ネットワーク制御装置）ロールを有するＲＮＣまたは無線ネットワーク制御装置、に対応する請求項１から３のいずれか一項に記載の方法。
【請求項５】
前記第２のネットワーク要素が、前記第１のネットワーク要素を制御するネットワーク要素、特にＵＭＴＳタイプのシステムで、ノードＢを制御するまたはこのノードＢのためのＣＲＮＣ（コントローリング無線ネットワーク制御装置）ロールを有するＲＮＣまたは無線ネットワーク制御装置、に対応する請求項１から４のいずれか一項に記載の方法。
【請求項６】
特にＵＭＴＳタイプのシステムで、初期送信電力を示す前記情報要素が、ノードＢのためのＳＲＮＣロールおよびＣＲＮＣロールを有するＲＮＣからこのノードＢにＮＢＡＰ（ノードＢアプリケーションパート）プロトコルに従って伝送される請求項４および５に記載の方法。
【請求項７】
前記第２のネットワーク要素が、前記第１のネットワーク要素を制御しないネットワーク要素に対応し、前記第１のネットワーク要素が、初期送信電力を示す前記情報要素を、前記第２のネットワーク要素から前記第１のネットワーク要素を制御する第３のネットワーク要素を介して、特にＵＭＴＳタイプのシステムではＤＲＮＣ（ドリフト無線ネットワーク制御装置）ロールを有するＲＮＣまたは無線ネットワーク制御装置を介して受信する請求項１から４のいずれか一項に記載の方法。
【請求項８】
特にＵＭＴＳタイプのシステムでは、初期送信電力を示す前記情報要素が、ＳＲＮＣロールを有するＲＮＣからノードＢのためのＤＲＮＣロールおよびＣＲＮＣロールを有するＲＮＣにＲＮＳＡＰ（無線ネットワークサブシステムアプリケーションパート）プロトコルに従って伝送され、次いで、このノードＢのためのＤＲＮＣロールおよびＣＲＮＣロールを有するＲＮＣからノードＢにＮＢＡＰ（ノードＢアプリケーションパート）プロトコルに従って再伝送される請求項４および７に記載の方法。
【請求項９】
前記情報要素が無線リンク再構成コマンドメッセージで受信される請求項１から８のいずれか一項に記載の方法。
【請求項１０】
前記情報要素が同期化無線リンク再構成コマンドメッセージで受信される請求項１から９のいずれか一項に記載の方法。
【請求項１１】
前記情報要素が非同期化無線リンク再構成コマンドメッセージで受信される請求項１から９のいずれか一項に記載の方法。
【請求項１２】
ＵＭＴＳタイプのシステムで、前記無線リンク再構成コマンドメッセージが「無線リンク再構成準備」メッセージに対応する請求項９から１１のいずれか一項に記載の方法。
【請求項１３】
ＵＭＴＳタイプのシステムで、前記無線リンク再構成コマンドメッセージが「無線リンク再構成要求」メッセージに対応する請求項９から１１のいずれか一項に記載の方法。
【請求項１４】
前記初期送信電力が前記第１のネットワーク要素によって無線アドミッション制御アルゴリズムに使用される請求項１から１３のいずれか一項に記載の方法。
【請求項１５】
前記初期送信電力が前記第１のネットワーク要素によって電力制御アルゴリズムに使用される請求項１から１３のいずれか一項に記載の方法。
【請求項１６】
請求項１から１５のいずれか一項に記載の方法を実装する手段を含むネットワーク要素。
【請求項１７】
無線リンクのための送信電力に変更をもたらす可能性がある基地局と移動端末の間の無線リンク再構成の場合に、前記移動端末（ＵＥ）に伝送するための初期送信電力を示す少なくとも１つの情報要素を前記基地局（ノードＢ）に伝送する手段（１）を含む基地局制御装置（ＲＮＣ１）。
【請求項１８】
無線リンクのための送信電力に変更をもたらす可能性がある基地局と移動端末の間の無線リンク再構成の場合に、前記移動端末（ＵＥ）に伝送するための初期送信電力を示す少なくとも１つの情報要素を基地局制御装置（ＲＮＣ３）に伝送する手段（４）を含む基地局制御装置（ＲＮＣ２）。
【請求項１９】
無線リンクのための送信電力に変更をもたらす可能性がある基地局と移動端末の間の無線リンク再構成の場合に前記移動端末に伝送するための初期送信電力を示す少なくとも１つの情報要素を基地局制御装置（ＲＮＣ２）から受信し、前記情報要素を前記基地局に再伝送する手段（５）を含む基地局制御装置（ＲＮＣ３）。
【請求項２０】
無線リンクのための送信電力に変更をもたらす可能性がある基地局と移動端末の間の無線リンク再構成の場合に、前記移動端末（ＵＥ）に伝送するための初期送信電力を示す少なくとも１つの情報要素を基地局制御装置（ＲＮＣ１、ＲＮＣ３）から受信する手段（２、６）を含む基地局（ノードＢ）。
【請求項２１】
前記情報要素を無線アドミッション制御アルゴリズムに使用する手段（３、７）を含む請求項２０に記載の基地局。
【請求項２２】
前記情報要素を電力制御アルゴリズムに使用する手段（３、７）を含む請求項２０に記載の基地局。
【請求項２３】
請求項１から１５のいずれか一項に記載の方法を実装する手段を含む移動無線通信システム。
【発明の詳細な説明】
【技術分野】
【０００１】
本発明は、一般に、移動無線通信システムに関する。
【０００２】
本発明は、特に、ＣＤＭＡ（Ｃｏｄｅ  Ｄｉｖｉｓｉｏｎ  Ｍｕｌｔｉｐｌｅ  Ａｃｃｅｓｓ）技術を使用するシステムに関する。
【背景技術】
【０００３】
ＣＤＭＡ技術は特に、特にユニバーサル移動通信システム（ＵＭＴＳ）システムなどのようないわゆる第３世代システムで使用される。
【０００４】
一般的には、移動無線通信システムは標準化されており、こうしたシステムの詳細な記述は、適切な標準化機構によって発行された適切な標準を参照することができる。
【０００５】
特にＵＭＴＳタイプのシステムなど移動無線通信システムの一般のアーキテクチャが図１に示されている。このシステムは、移動端末またはＵＥ（ユーザ装置）、および外部ネットワーク（具体的に図示せず）と通信する移動無線通信ネットワークを含む。
【０００６】
移動無線通信ネットワークは、
無線アクセスネットワークまたはＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）、
コアネットワークまたはＣＮを含む。
【０００７】
特にＵＭＴＳタイプの第３世代システムは、Ｗ−ＣＤＭＡ（ワイドバンド−符号分割多重アクセス）タイプの無線アクセス技術を使用する。ＵＴＲＡＮは、基地局または「ノードＢ」、および基地局制御装置または無線ネットワーク制御装置（ＲＮＣ）を備える。ＵＴＲＡＮは、一方で移動端末ＵＥに「Ｕｕ」インターフェース（または無線インターフェース）として知られているインターフェースを介して接続され、もう一方でＣＮに「Ｉｕ」インターフェースとして知られているインターフェースを介して接続される。ＵＴＲＡＮ内で、ノードＢはＲＮＣと「Ｉｕｂ」インターフェースとして知られているインターフェースを介して通信するが、「Ｉｕｒ」インターフェースとして知られているインターフェースをＲＮＣの間に設けることもできる。
【０００８】
所与のノードＢに関して、ノードＢを制御するＲＮＣはＣＲＮＣ（コントローリング無線ネットワーク制御装置）とも呼ばれる。ＣＲＮＣは、ロード監視ロールを有し、ＣＲＮＣが制御するノードＢを監視し、ノードＢに無線リソースを割り当てる。
【０００９】
さらに、ＵＭＴＳなどのシステムはマクロダイバーシティモード伝送技術（または「ソフトハンドオーバ」）を使用し、それによってＵＥが幾つかのノードＢに同時に接続されることができ、すなわち、幾つかのサービングセル（またはアクティブセル）によって同時に扱われることができる。
【００１０】
所与のＵＥに関連する所与の呼ごとに、ＳＲＮＣ（サービング無線ネットワーク制御装置）と呼ばれるＲＮＣが存在し、このＲＮＣは、この無線リンクのセットアップおよび制御機能のリリースを含む呼に関する制御ロール、およびビットレート、電力、拡散因子などを発呼中に変更することができるパラメータを制御する制御ロールを有する。ＵＥが接続される種々のノードＢを同一のＲＮＣによって制御することが可能または可能でないことがある。ノードＢが異なるＲＮＣによって制御される場合、ＲＮＣの１つがＳＲＮＣロールを有し、ＵＥに接続されているがＳＲＮＣによって制御されないノードＢは、ドリフトＲＮＣまたはＤＲＮＣとも呼ばれるノードＢを制御するＲＮＣを介してＳＲＮＣと「Ｉｕｒ」インターフェースを介して通信する。
【００１１】
一般に、異なるデータタイプ、すなわちユーザに対応するデータまたはトラフィックデータ、およびシステム動作に必須のデータの制御に対応するデータまたはシグナリングデータをこうしたシステムで伝送することができる。異なるプロトコルがこうしたシステムの様々な要素間のデータ交換のために定義されている。特に、
３ＧＰＰ仕様ＴＳ２５．４１３でＣＮとＲＮＣの間のシグナリング交換のために定義されたＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）プロトコル、
３ＧＰＰ仕様ＴＳ２５．４２３で「Ｉｕｒ」インターフェースによってインターリンクされたＲＮＣの間でのシグナリング交換のために定義されたＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）プロトコル、
３ＧＰＰ仕様ＴＳ２５．４３３でＲＮＣとノードＢの間のシグナリング交換のためにに定義されたＮＢＡＰ  （Ｎｏｄｅ  Ｂ  Ａｐｐｌｉｃａｔｉｏｎ  Ｐａｒｔ）プロトコル、
３ＧＰＰ仕様ＴＳ２５．３３１でＲＮＣとＵＥの間のシグナルイング交換のために定義されたＲＲＣ（Ｒａｄｉｏ  Ｒｅｓｏｕｒｃｅ  Ｃｏｎｔｒｏｌ）プロトコルである。
【００１２】
ＵＥとＵＴＲＡＮの間の通信プロトコルの異なるレベル、すなわち最高レベルから最低レベルの、論理チャネル、トランスポートチャネル、および物理チャネルに対応する、異なるチャネルタイプがＵＥとＵＴＲＡＮの間のデータ交換用に定義されている。特に、伝送すべきデータのタイプによって、異なるタイプの論理チャネルがある。伝送すべきデータはさらに、サービスによって異なり同一のサービスに関して同一の呼中に変化するビットレートを有することができ、こうした様々な制約は、トランスポートチャネルおよび物理チャネルレベルで、特に、伝送時間間隔（ＴＴＩ）、チャネルコーディングタイプ、拡散率など、こうしたチャネルの定義に使用される幾つかのパラメータを通して考慮される。
【００１３】
特に、ＵＭＴＳなど第３世代システムの特徴は、幾つかのサービスを同一の接続で、または幾つかのトランスポートチャネルを同一の物理チャネルで伝送する機能であることを想起されたい。たとえばＵＭＴＳなどのシステムでは、こうしたトランスポートチャネル（ＴｒＣＨ）は、多重化されて１つまたは複数の物理チャネルで伝送すべきコード化複合トランスポートチャネル（ＣＣＴｒＣＨ）を形成する前に、チャネルコーディング方式に従って別々に処理される。同一の接続に幾つかのＣＣＴｒＣＨが存在することもできる。送信電力は、同一の物理チャネル（またはＤＰＤＣＨ、すなわち専用物理チャネル）で伝送される同一のＣＣＴｒＣＨで多重化されたトランスポートチャネル全てに対して同じであることも想起されたい。ＵＭＴＳのこうした面についてのさらなる情報は、特に３ＧＰＰ仕様ＴＳ２５．２１２で得られるであろう。
【００１４】
一般に、第３世代、特にＵＭＴＳタイプのシステムは、カテゴリによって大きく異なるサービス品質（ＱｏＳ）要求を有するトラフィックカテゴリをサポートすることが可能でなければならない。こうしたシステムの異なるレベルでのサービス品質を保証するため、ＱｏＳアーキテクチャが定義されており、その定義では、異なるベアラサービス（特に、ＣＮとＵＥ間の無線アクセスベアラ（ＲＡＢ）サービス、ＲＮＣとＵＥ間の無線ベアラ（ＲＢ）サービス）、および異なるＱｏＳ属性（特に、トラフィッククラス、最大ビットレート、保証されたビットレート、転送遅延など）が識別される。
【００１５】
ＲＮＣは、特に無線リソース管理機能を処理して、特に容量およびサービス品質に関してシステム性能を保証するものである。
【００１６】
ＣＤＭＡシステムでは、無線インターフェースの容量限度が、具体的にはＴＤＭＡ（時分割多重アクセス）技術など、他の複数のアクセス技術を使用するシステムに適用されるものとは基本的に異なる。ＴＤＭＡ技術は、特にＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）など、いわゆる第２世代システムで使用される。ＣＤＭＡシステムでは、ユーザ全てが常に同じ周波数リソースを共用する。したがって、こうしたシステムの容量は干渉係数によって制限され、こうしたシステムはこの理由から「ソフトリミテッドシステム」とも呼ばれる。
【００１７】
この理由で、ＣＤＭＡシステムでは、無線リソース管理機能に、特に、過負荷を防ぎ、それを検出し訂正するためのいわゆるロード制御アルゴリズム、および、ある瞬間に使用されていないセルの容量がこのセルで呼を受信するのに（すなわち、新しい無線リンクまたは追加の無線リンクをセットアップするのに）十分であるかどうかを、この呼に必要なサービス、必要なサービス品質など様々なパラメータに従って決定するためのいわゆる無線アドミッション制御アルゴリズムなどのアルゴリズムが含まれる。
【００１８】
典型的な無線アドミッション制御アルゴリズムは、ダウンリンク方向のノードＢの送信電力およびアップリンク方向の干渉レベルに基づく。特に、ダウンリンク方向で、無線アドミッションアルゴリズムは、新しい無線リンクまたは追加の無線リンクを受け入れるのに十分なノードＢの送信電力が残されているかどうかを検査する。したがって、こうしたアルゴリズムに関する主な問題は、ダウンリンク方向で新しい無線リンクまたは追加の無線リンクに必要とされる送信電力をどのように推定するかである。このアルゴリズムの性能、および、したがってシステムの性能は、この推定の品質に依存する。
【００１９】
さらに、ＵＭＴＳ標準は、システム内の無線アドミッションアルゴリズムの位置に関して柔軟性がある。特に、こうしたアルゴリズムは、ノードＢまたはＲＮＣで、一部をその１つでまた一部を他方で実装することができる。無線アドミッションアルゴリズムまたはその一部がノードＢで実装される場合、または、たとえば、この電力を電力制御アルゴリズムの初期送信電力として使用して、特にこのアルゴリズムの性能を向上させるためにノードＢ自体で初期電力の知識が必要とされる場合は、特定の問題が生じる。こうした特定の問題は、ノードＢ自体による初期電力の推定が難しいために生じ、これは、ノードＢはこの推定に必要とされる知識全てを有していないからである。
【００２０】
特に、ノードＢには、ＲＮＣがその制御機能から知る一部の情報の知識がない。たとえば、ＲＮＣは呼に必要とされるサービス品質を知っており、それは呼のセットアップ中にＣＮによって通信され、無線ベアラ（ＲＢ）のセットアップに必要とされる。他の例によれば、マクロダイバーシティモードでの伝送の場合、ＲＮＣは同じＵＥのための他のノードＢとの他の無線リンクに必要とされる送信電力を知っておりこれは、ＲＮＣ自体が同一のＵＥのための異なるノードＢとの異なる無線リンクのためのいわゆる基準送信電力を決定するからである。
【００２１】
この理由で、ＵＭＴＳ標準の現在の状態では、ＲＮＣがノードＢに（ＮＢＡＰプロトコルを介して）ダウンリンク方向に必要とされる初期送信電力を信号で送るための規定が設けられている。しかし現状の標準では、これは、新しい無線リンク（またはノードＢによる「無線リンクセットアップ」メッセージの受信に続く無線リンクのセットアップ）の場合、または追加の無線リンク（またはノードＢによる「無線リンク追加」メッセージの受信に続く無線リンクのセットアップ）の場合だけに設けられている。
【００２２】
しかし、本出願人の観察によれば、ノードＢが無線リンクに必要とされる送信電力を認知することが重要な別の場合がある。これは、無線リンクが再構成された場合（たとえば、この無線リンク用のトランスポートまたは物理チャネルの定義に使用される拡散率または任意のパラメータが変更された場合など）に対応する。たとえば、重要な無線リンクの再構成の場合は、呼の開始時に発生するものである。実際、呼がセットアップされる場合、
第１のステップでは、第１の無線リンクがセットアップされるときに、ＲＮＣは、呼の開始時に使用される、制御チャネル、またはＤＣＣＨ（個別制御チャネル）、あるいは論理チャネルだけを構成して、ＲＮＣとＵＥの間のＲＲＣ（無線リソース制御）プロトコルおよびＣＮとＵＥの間のＮＡＳ（Ｎｏｎ−Ａｃｃｅｓｓ  Ｓｔｒａｔｕｍ）プロトコルに従うシグナリングを伝達し、
次いで第２のステップで、一旦、ＣＮが呼がどのように処理されるかを決定し、ＲＮＣに、必要とされるサービスおよび必要とされるサービスの品質に関する情報を有する、無線アクセスベアラセットアップ要求またはＲＡＢ（ＲＡＢ  Ａｓｓｉｇｎｍｅｎｔ  Ｒｅｑｕｅｓｔ）メッセージを送信すると、ＲＮＣは、ノードＢに無線リンク再構成メッセージを送信して、特にトラフィックチャネルまたはＤＴＣＨ（個別トラフィックチャネル）論理チャネルを追加し、物理チャネルのパラメータを変更する。この第２のステップでは、通常、送信電力を大幅に上げることが必要とされる（実際、典型的には、ＤＣＣＨチャネルによって伝送されるビットレートは３から４ｋｂｉｔ／ｓであるが、ＤＴＣＨチャネルによって伝送されるビットレートはそれよりもはるかに高い可能性がある）。
【００２３】
この標準の現状では、ＲＮＣが、無線リンク再構成に続いてノードＢにダウンリンク方向に必要とされる初期送信電力を信号で送るための規定が設けられていない。特に、標準の現状では、ＵＭＴＳ  ＦＤＤ（Ｆｒｅｑｕｅｎｃｙ  Ｄｉｖｉｓｉｏｎ  Ｄｕｐｌｅｘ）モードに関して、（新しい無線リンクを生成する場合の）「Ｒａｄｉｏ  Ｌｉｎｋ  Ｓｅｔ−ｕｐ」メッセージ、または（追加の無線リンクを生成する場合の）「Ｒａｄｉｏ  Ｌｉｎｋ  Ａｄｄｉｔｉｏｎ」メッセージで、ＲＮＣがノードＢにダウンリンク方向に必要とされる初期送信電力を信号で送るための規定だけが設けられている。ＵＭＴＳ  ＴＤＤ（Ｔｉｍｅ  Ｄｉｖｉｓｉｏｎ  Ｄｕｐｌｅｘ）モードでは、ＲＮＣが「Ｒａｄｉｏ  Ｌｉｎｋ  Ｒｅｃｏｎｆｉｇｕｒａｔｉｏｎ  Ｐｒｅｐａｒｅ」メッセージでダウンリンク方向に必要とされる初期送信電力をノードＢに信号で送るための規定も設けられているが、３ＧＰＰ仕様ＴＳ２５．４３３で示したように、こうして信号で送られた初期送信電力は、ノードＢが新しいＣＣＴｒＣＨチャネルでの伝送を開始した場合にノードＢによって与えられるものである。したがって、後者の場合は、新しいＣＣＴｒＣＨチャネルを生成する場合に対応し、すでに生成されたＣＣＴｒＣＨチャネルを再構成する場合には対応しない。
【００２４】
本出願人の観察によれば、したがって無線リンク再構成の場合は、現在では最適に処理されていない。特に、無線リンクでの少なくとも１つの伝送エンティティのための送信電力の変更をもたらす可能性があり、それに対して送信電力が定義される無線リンク再構成の場合が考慮されていない（こうした伝送エンティティは場合によっては、特に、ＤＰＤＣＨチャネル、またはＣＣＴｒＣＨチャネル、あるいはより一般的には同じタイプの問題が起こる任意のチャネルタイプに対応する）。その結果、性能が低下し、特に、性能の低下により無線アドミッション制御および電力制御アルゴリズムが影響を受け、またはより一般的には、特に容量およびサービス品質に関してシステム性能が低下する。
【発明の開示】
【発明が解決しようとする課題】
【００２５】
本発明の主な目的は、こうした欠点の全てまたは一部を回避し、より一般的には、こうしたシステムの性能を向上させることである。
【課題を解決するための手段】
【００２６】
本発明の一つの主題は、移動無線通信システムの性能を向上させる方法であって、移動端末に伝送する第１のネットワーク要素として知られているネットワーク要素が、少なくとも１つの情報要素を第２のネットワーク要素として知られている少なくとも１つの他のネットワーク要素から受信し、前記情報要素が、無線リンクのための送信電力に変更をもたらす可能性がある前記第１のネットワーク要素と前記移動端末の間の無線リンク再構成の場合に移動端末に伝送するための初期送信電力を示す方法である。
【００２７】
他の特徴によれば、前記第１のネットワーク要素が、ＵＭＴＳタイプのシステムの基地局またはノードＢに対応する。
【００２８】
他の特徴によれば、前記第２のネットワーク要素が、ＵＭＴＳタイプのシステムの基地局制御装置または無線ネットワーク制御装置（ＲＮＣ）に対応する。
【００２９】
他の特徴によれば、前記第２のネットワーク要素が、無線リンク再構成制御機能を含む、前記移動端末との通信を制御する機能を有するネットワーク要素、特にＵＭＴＳタイプのシステムで、ＳＲＮＣ（サービング無線ネットワーク制御装置）ロールを有するＲＮＣまたは無線ネットワーク制御装置、に対応する。
【００３０】
他の特徴によれば、前記第２のネットワーク要素が、前記第１のネットワーク要素を制御するネットワーク要素、特にＵＭＴＳタイプのシステムで、ノードＢを制御するまたはこのノードＢのためのＣＲＮＣ（コントローリング無線ネットワーク制御装置）ロールを有するＲＮＣまたは無線ネットワーク制御装置、に対応する。
【００３１】
他の特徴によれば、特にＵＭＴＳタイプのシステムで、初期送信電力を示す前記情報要素が、ノードＢのためのＳＲＮＣロールおよびＣＲＮＣロールを有するＲＮＣからこのノードＢにＮＢＡＰ（ノードＢアプリケーションパート）プロトコルに従って伝送される。
【００３２】
他の特徴によれば、前記第２のネットワーク要素は、前記第１のネットワーク要素を制御しないネットワーク要素に対応し、前記第１のネットワーク要素が、初期送信電力を示す前記情報要素を、前記第２のネットワーク要素から前記第１のネットワーク要素を制御する第３のネットワーク要素を介して、特にＵＭＴＳタイプのシステムではＤＲＮＣ（ドリフト無線ネットワーク制御装置）ロールを有するＲＮＣまたは無線ネットワーク制御装置を介して受信する。
【００３３】
他の特徴によれば、特にＵＭＴＳタイプのシステムでは、初期送信電力を示す前記情報要素が、ＳＲＮＣロールを有するＲＮＣからノードＢのためのＤＲＮＣロールおよびＣＲＮＣロールを有するＲＮＣにＲＮＳＡＰ（無線ネットワークサブシステムアプリケーションパート）プロトコルに従って伝送され、次いで、このノードＢのためのＤＲＮＣロールおよびＣＲＮＣロールを有するＲＮＣからノードＢにＮＢＡＰ（ノードＢアプリケーションパート）プロトコルに従って再伝送される。
【００３４】
他の特徴によれば、前記情報要素が無線リンク再構成コマンドメッセージで受信される。
【００３５】
他の特徴によれば、前記情報要素が同期化無線リンク再構成コマンドメッセージで受信される。
【００３６】
他の特徴によれば、前記情報要素が非同期化無線リンク再構成コマンドメッセージで受信される。
【００３７】
他の特徴によれば、ＵＭＴＳタイプのシステムで、前記無線リンク再構成コマンドメッセージが「無線リンク再構成準備」メッセージに対応する。
【００３８】
他の特徴によれば、ＵＭＴＳタイプのシステムで、前記無線リンク再構成コマンドメッセージが「無線リンク再構成要求」メッセージに対応する。
【００３９】
他の特徴によれば、前記初期送信電力が前記第１のネットワーク要素によって無線アドミッション制御アルゴリズムに使用される。
【００４０】
他の特徴によれば、前記初期送信電力が前記第１のネットワーク要素によって電力制御アルゴリズムに使用される。
【００４１】
本発明の他の主題は、本発明による方法を実装する手段を含むネットワーク要素である。
【００４２】
本発明の他の主題は、本発明による方法を実装する手段を含む、基地局制御装置またはノードＢである。本発明の他の主題は、本発明による方法を実装する手段を含む、基地局制御装置、または無線ネットワーク制御装置又はＲＮＣである。
【００４３】
本発明の他の主題は、本発明による方法を実装する手段を含む、移動無線通信システムである。
【００４４】
本発明の他の主題は、無線リンクのための送信電力に変更をもたらす可能性がある基地局と移動端末の間の無線リンク再構成の場合に、前記移動端末に伝送するための初期送信電力を示す少なくとも１つの情報要素を前記基地局に伝送する手段を含む、基地局制御装置である。
【００４５】
本発明の他の主題は、無線リンクのための送信電力に変更をもたらす可能性がある、基地局と移動端末の間の無線リンク再構成の場合に、前記移動端末に伝送するための初期送信電力を示す少なくとも１つの情報要素を基地局制御装置に伝送する手段を含む、基地局制御装置である。
【００４６】
本発明の他の主題は、無線リンクのための送信電力に変更をもたらす可能性がある基地局と移動端末の間の無線リンク再構成の場合に前記移動端末に伝送するための初期送信電力を示す少なくとも１つの情報要素を基地局制御装置から受信し、前記情報要素を前記基地局に再伝送する手段を含む、基地局制御装置である。
【００４７】
本発明の他の主題は、無線リンクのための送信電力に変更をもたらす可能性がある基地局と移動端末の間の無線リンク再構成の場合に、前記移動端末に伝送するための初期送信電力を示す少なくとも１つの情報要素を基地局制御装置から受信する手段を含む、基地局である。
【００４８】
他の特徴によれば、前記基地局は、前記情報要素を無線アドミッション制御アルゴリズムに使用する手段を含む。
【００４９】
他の特徴によれば、前記基地局は、前記情報要素を電力制御アルゴリズムに使用する手段を含む。
【００５０】
本発明の他の目的および特徴は、添付の図面に関連して提供される例示の実装形態の説明を読めば明らかになるであろう。
【発明を実施するための最良の形態】
【００５１】
本発明を以下に説明する。
【００５２】
本発明は、特に、ＲＮＣでダウンリンク方向に必要とされる送信電力の推定を提供し、適切に得られた値をノードＢに信号で送り、ノードＢがそれを初期送信電力として使用し、無線アドミッション制御がノードＢで実装される場合は、それを無線アドミッション制御に使用することもできるようにすることを提案する。
【００５３】
本発明は特に、無線リンクが再構成される場合に（すなわち、この無線リンクの変更によって送信電力に変更が生じる可能性がある、無線リンクの変更の場合は全て）、ＲＮＣがノードＢに無線リンクの初期送信電力を信号で送ることを提案する。これは特に、物理またはトランスポートチャネルパラメータ（たとえば、拡散率、チャネルコーディング、伝送時間間隔（ＴＴＩ）など）がこの無線リンクに関して変更される場合、トランスポートチャネルが追加または削除される場合、サービスまたはサービス品質が変更される場合などに生じる可能性がある。すでに説明したように、特に重要な無線リンク再構成の場合は、呼の開始時に発生するものである。
【００５４】
有利には、再構成無線リンクのためのダウンリンク方向の初期電力（または「Ｉｎｉｔｉａｌ  ＤＬ  Ｐｏｗｅｒ（初期ＤＬ電力）」、ただしＤＬは「ダウンリンク」を表す）を無線リンクの再構成に使用されたものと同じメッセージで信号で送ることができる。
【００５５】
無線リンクを再構成する異なる方法があることを留意されたい。すなわち、
同期化無線リンク再構成、
非同期化無線リンク再構成である。
【００５６】
このコンテキストにおいて、同期化は、（ＵＥが異なるノードＢに対して「ソフトハンドオーバ」モードの場合に）ＵＥが接続される異なるノードＢと同時の無線リンク全ての再構成を指す。
【００５７】
同期化再構成の場合、２つの再構成コマンドメッセージがＲＮＣによってノードＢに送信される。すなわち、
「Ｒａｄｉｏ  Ｌｉｎｋ  Ｒｅｃｏｎｆｉｇｕｒａｔｉｏｎ  Ｐｒｅｐａｒｅ（無線リンク再構成準備）」、
「Ｒａｄｉｏ  Ｌｉｎｋ  Ｒｅｃｏｎｆｉｇｕｒａｔｉｏｎ  Ｃｏｍｍｉｔ（無線リンク再構成コミット）」である。
【００５８】
好ましい例によれば、無線リンクの再構成の場合に無線リンクの初期送信電力を信号で送るのに使用されるメッセージは、第１のメッセージ（Ｒａｄｉｏ  Ｌｉｎｋ  Ｒｅｃｏｎｆｉｇｕｒａｔｉｏｎ  Ｐｒｅｐａｒｅ）であり、第２のメッセージ（Ｒａｄｉｏ  Ｌｉｎｋ  Ｒｅｃｏｎｆｉｇｕｒａｔｉｏｎ  Ｃｏｍｍｉｔ）は、通常、再構成が行われる瞬間だけを与え、再構成情報は全て第１のメッセージに与えられる。
【００５９】
非同期化再構成の場合は、単に１つのメッセージがＲＮＣによってノードＢに送信される。すなわち、
「Ｒａｄｉｏ  Ｌｉｎｋ  Ｒｅｃｏｎｆｉｇｕｒａｔｉｏｎ  Ｒｅｑｕｅｓｔ（無線リンク再構成要求）」である。
【００６０】
本発明は特に、「Ｉｎｉｔｉａｌ  ＤＬ  Ｔｒａｎｓｍｉｓｓｉｏｎ  Ｐｏｗｅｒ（初期ＤＬ送信電力）」と呼ばれる情報要素（ＩＥ）を上述の２つのメッセージ、すなわち「Ｒａｄｉｏ  Ｌｉｎｋ  Ｒｅｃｏｎｆｉｇｕｒａｔｉｏｎ  Ｐｒｅｐａｒｅ」および「Ｒａｄｉｏ  Ｌｉｎｋ  Ｒｅｃｏｎｆｉｇｕｒａｔｉｏｎ  Ｒｅｑｕｅｓｔ」の１つおよび／または他方に追加することを提案する。
【００６１】
また、特に３ＧＰＰ仕様ＴＳ２５．４３３で定義されているように、送信電力を定義する通常の方法を以下で概説する。
【００６２】
ＦＤＤ（Ｆｒｅｑｕｅｎｃｙ  Ｄｕｐｌｅｘ  Ｄｉｖｉｓｉｏｎ）モードでは、プライマリＣＰＩＣＨチャネル（ただしＣＰＩＣＨは「共通パイロットチャネル（Ｃｏｍｍｏｎ  Ｐｉｌｏｔ  ＣＨａｎｎｅｌ）」を表す）の電力に対する、伝送されたＤＰＤＣＨ（個別物理データチャネル（Ｄｅｄｉｃａｔｅｄ  Ｐｈｙｓｉｃａｌ  Ｄａｔａ  Ｃｈａｎｎｅｌ））シンボルの参照による電力レベル、
ＴＤＤモードでは、プライマリＣＰＩＣＨチャネルの電力に対する電力レベルである。
【００６３】
したがって本発明は、特に、移動端末に伝送する第１のネットワーク要素として知られているネットワーク要素が、少なくとも１つの情報要素を第２のネットワーク要素として知られている少なくとも１つの他のネットワーク要素から受信し、前記情報要素は、無線リンクのための送信電力に変更をもたらす可能性がある前記第１のネットワーク要素と前記移動端末の間の無線リンク再構成の場合に移動端末に伝送するための初期送信電力を示すことを提案する。
【００６４】
特に、送信電力の前記変更は、この無線リンク上の少なくとも１つの伝送エンティティについての送信電力の変更に対応し、それについて送信電力が定義されることが可能である。
【００６５】
前記第１のネットワーク要素が、特にＵＭＴＳタイプのシステムの基地局またはノードＢに対応する。
【００６６】
前記第２のネットワーク要素が、特にＵＭＴＳタイプのシステムの基地局制御装置または無線ネットワーク制御装置（ＲＮＣ）に対応する。
【００６７】
前記第２のネットワーク要素が、無線リンク再構成制御機能を含む、前記移動端末との通信を制御する機能を有するネットワーク要素、特にＵＭＴＳタイプのシステムで、ＳＲＮＣ（サービング無線ネットワーク制御装置）ロールを有するＲＮＣまたは無線ネットワーク制御装置、に特に対応する。
【００６８】
第１の実装形態によれば、前記第２のネットワーク要素が、前記第１のネットワーク要素を制御するネットワーク要素、特にＵＭＴＳタイプのシステムで、ノードＢを制御するまたはこのノードＢのためのＣＲＮＣ（コントローリング無線ネットワーク制御装置）ロールを有するＲＮＣまたは無線ネットワーク制御装置に特に対応するものでもよい。
【００６９】
この第１の実装形態によれば、ＵＭＴＳタイプのシステムで、初期送信電力を示す前記情報要素が、特に、ノードＢのためのＳＲＮＣロールおよびＣＲＮＣロールを有するＲＮＣからこのノードＢにＮＢＡＰ（ノードＢアプリケーションパート）プロトコルに従って伝送されてもよい。
【００７０】
第２の実装形態によれば、前記第２のネットワーク要素は、特に、前記第１のネットワーク要素を制御しないネットワーク要素に対応するものでもよく、前記第１のネットワーク要素が、初期送信電力を示す前記情報要素を、前記第２のネットワーク要素から前記第１のネットワーク要素を制御する第３のネットワーク要素を介して、特にＵＭＴＳタイプのシステムではＤＲＮＣ（ドリフト無線ネットワーク制御装置）ロールを有するＲＮＣまたは無線ネットワーク制御装置を介して受信することができる。
【００７１】
この第２の実装形態によれば、ＵＭＴＳタイプのシステムでは、初期送信電力を示す前記情報要素が、特に、ＳＲＮＣロールを有するＲＮＣからノードＢのためのＤＲＮＣロールおよびＣＲＮＣロールを有するＲＮＣにＲＮＳＡＰ（無線ネットワークサブシステムアプリケーションパート）プロトコルに従って伝送され、次いでノードＢのためのＤＲＮＣロールおよびＣＲＮＣロールを有するＲＮＣからノードＢにＮＢＡＰ（ノードＢアプリケーションパート）プロトコルに従って再伝送されてもよい。
【００７２】
特に、初期送信電力を示す前記情報要素は、特にＵＭＴＳタイプのシステムでは、ＮＢＡＰおよびＲＮＳＡＰプロトコルに従って提供される、以下のメッセージ、
「Ｒａｄｉｏ  Ｌｉｎｋ  Ｒｅｃｏｎｆｉｇｕｒａｔｉｏｎ  Ｐｒｅｐａｒｅ」、
「Ｒａｄｉｏ  Ｌｉｎｋ  Ｒｅｃｏｎｆｉｇｕｒａｔｉｏｎ  Ｒｅｑｕｅｓｔ」
の１つおよび／または他方の、同期化または非同期化された無線リンク再構成コマンドメッセージで伝送されてもよい。
【００７３】
図２は、ＵＭＴＳタイプのシステムおよび上記の第１の例示の実装形態の一例として、本発明による方法を実装するために提供することができる手段の一例を示す図である。
【００７４】
この第１の例示の実装形態によれば、初期送信電力を示す前記情報要素は、ノードＢのためのＳＲＮＣロールおよびＣＲＮＣロールを有する、ＲＮＣ１で示したＲＮＣからこのノードＢに、たとえばＮＢＡＰプロトコルに従って伝送される再構成コマンドメッセージで伝送される。
【００７５】
したがって、ＲＮＣ１は（従来の手段でもよい他の手段に追加して）
たとえば、「Ｒａｄｉｏ  Ｌｉｎｋ  Ｒｅｃｏｎｆｉｇｕｒａｔｉｏｎ  Ｐｒｅｐａｒｅ」または「Ｒａｄｉｏ  Ｌｉｎｋ  Ｒｅｃｏｎｆｉｇｕｒａｔｉｏｎ  Ｒｅｑｕｅｓｔ」などの再構成コマンドメッセージなどのＮＢＡＰメッセージで、前記情報要素をノードＢに伝送するための１で示された手段を含む。
【００７６】
したがって、ノードＢは（従来の手段でもよい他の手段に追加して）
前記情報要素をＲＮＣ１から受信するための２で示された手段、
たとえばすでに示したように無線アドミッション制御アルゴリズム、および／または電力制御アルゴリズムなど、前記情報要素を使用する３で示された手段を含む。
【００７７】
図３は、ＵＭＴＳタイプのシステムおよび上記の第２の例示の実装形態の一例として、本発明による方法を実装するために提供することができる手段の一例を示す図である。
【００７８】
この第２の実装形態によれば、初期送信電力を示す前記情報要素は、ノードＢのためのＳＲＮＣロールを有するＲＮＣ２で示されたＲＮＣからノードＢのためのＤＲＮＣロールおよびＣＲＮＣロールを有するＲＮＣ３で示されたＲＮＣに、たとえばＲＮＳＡＰプロトコルに従って伝送される再構成コマンドメッセージで伝送され、次いで、ＲＮＣ３からノードＢにたとえばＮＢＡＰプロトコルに従って伝送される再構成コマンドメッセージで伝送される。
【００７９】
したがって、ＲＮＣ２は（従来の手段でもよい他の手段に追加して）
たとえば、「Ｒａｄｉｏ  Ｌｉｎｋ  Ｒｅｃｏｎｆｉｇｕｒａｔｉｏｎ  Ｐｒｅｐａｒｅ」または「Ｒａｄｉｏ  Ｌｉｎｋ  Ｒｅｃｏｎｆｉｇｕｒａｔｉｏｎ  Ｒｅｑｕｅｓｔ」などの再構成コマンドメッセージなどのＲＮＳＡＰメッセージで前記情報要素をＲＮＣ３に伝送するための４で示された手段を含む。
【００８０】
したがって、ＲＮＣ３は（従来の手段でもよい他の手段に追加して）
たとえば、「Ｒａｄｉｏ  Ｌｉｎｋ  Ｒｅｃｏｎｆｉｇｕｒａｔｉｏｎ  Ｐｒｅｐａｒｅ」または「Ｒａｄｉｏ  Ｌｉｎｋ  Ｒｅｃｏｎｆｉｇｕｒａｔｉｏｎ  Ｒｅｑｕｅｓｔ」などの再構成コマンドメッセージなどのＮＢＡＰメッセージで、前記情報要素をノードＢに伝送するための５で示された手段を含む。
【００８１】
したがって、ノードＢは（従来の手段でもよい他の手段に追加して）
前記情報要素をＲＮＣ３から受信するための６で示された手段、
たとえばすでに示したように無線アドミッション制御アルゴリズム、および／または電力制御アルゴリズムなどに前記情報要素を使用する７で示された手段を含む。
【００８２】
こうした様々な手段は上記の方法に従って機能することができ、その特定の実装形態は当業者には特に難しいものではなく、こうした手段はその機能からより詳細に本明細書に記載する必要はない。
【図面の簡単な説明】
【００８３】
【図１】特に、ＵＭＴＳシステムなどの、以前の移動無線通信システムの一般のアーキテクチャを示す図である。
【図２】本発明による方法の第１の例示の実装形態を示す図である。
【図３】本発明による方法の第２の例示の実装形態を示す図である。
【図１】
2006521047.tif 000003
【図２】
2006521047.tif 000004
【図３】
2006521047.tif 000005
【国際調査報告】
2006521047.tif 000006
2006521047.tif 000007
2006521047.tif 000008
2006521047.tif 000009
2006521047.tif 000010
2006521047.tif 000011